(57)【要約】【課題】尿や軟便の漏れを効果的に防止すると共に、おむつの外観を損なうことなく履き間違えを防止することができるパンツ型使い捨ておむつを提供すること。【解決手段】おむつ１は、少なくとも腹側部Ａに、第１伸縮領域４０と、該第１伸縮領域４０よりも伸縮応力が大きい第２伸縮領域４５とを有している。外装体３における外層シート３０は、肌対向面側に折り返された外層折り返し部３２を有している。背側部Ｂにおける外層折り返し部３２ｂは、その股下部Ｃ側の端部が、吸収性本体２の肌対向面上に接合されている。腹側部Ａにおける外層折り返し部３２ａは、これと相対向する部材に接合された接合部５０と、該接合部５０よりも股下部Ｃ側に位置し、該外層折り返し部３２と相対向する部材に接合されていない非接合部５３とを有している。接合部６０の股下部Ｃ側の端部は、第１伸縮領域４０に位置している。【選択図】図４
2020108736.tif 000002
【特許請求の範囲】
【請求項１】
吸収体を有する吸収性本体と、該吸収性本体の非肌対向面側に配された外装体とを備え、着用者の腹側に配される腹側部と、着用者の背側に配される背側部と、該腹側部及び該背側部の間に位置する股下部とを有し、該腹側部から該股下部を介して該背側部に延びる方向に対応する長手方向及び該長手方向と直交する幅方向を有し、ウエスト開口部及び一対のレッグ開口部が形成されているパンツ型使い捨ておむつであって、
前記外装体は、前記幅方向に沿って伸縮可能になっており、
前記外装体は、少なくとも前記腹側部に、前記ウエスト開口部寄りに形成され前記幅方向に伸縮する第１伸縮領域と、該第１伸縮領域よりも前記股下部側に位置し、前記幅方向の伸縮応力が該第１伸縮領域よりも大きい第２伸縮領域とを有しており、
前記外層シートは、前記背側部及び前記腹側部のそれぞれに、前記ウエスト開口部の周縁端に沿って肌対向面側に折り返された外層折り返し部を有しており、
前記背側部における前記外層折り返し部は、その前記股下部側の端部が、前記吸収性本体の肌対向面上に接合されており、
前記腹側部における前記外層折り返し部は、該外層折り返し部と相対向する部材に接合された接合部と、該接合部よりも股下部側に位置し、該外層折り返し部と相対向する部材に接合されていない非接合部とを有しており、
前記接合部の前記股下部側の端部が、前記第１伸縮領域に位置している、パンツ型使い捨ておむつ。
【請求項２】
前記外装体は、前記使い捨ておむつの外面を形成する非肌対向面側の外層シートと、該外層シートの肌対向面側に配された内層シートと、該外層シートと該内層シートとの間に前記幅方向に沿って配された複数の弾性部材とを有している、請求項１に記載のパンツ型使い捨ておむつ。
【請求項３】
前記外装体は、互いに交差せずに一方向に延びるように配列した複数の弾性フィラメントが、実質的に非伸長状態で、それらの全長にわたり、伸長可能な不織布に接合されている伸縮シートを備え、
前記伸縮シートは、前記弾性フィラメントが、前記幅方向と一致するように前記外装体に備えられている、請求項１に記載のパンツ型使い捨ておむつ。
【請求項４】
前記接合部の前記股下部側の端部が、前記長手方向において、前記ウエスト開口部の周縁端と前記吸収体の端部との間に位置している、請求項１ないし３のいずれか一項に記載のパンツ型使い捨ておむつ。
【請求項５】
前記非接合部の前記股下部側の端部が、前記長手方向において、前記ウエスト開口部の周縁端と前記吸収体の端部との間に位置している、請求項１ないし４のいずれか一項に記載のパンツ型使い捨ておむつ。
【請求項６】
前記接合部が、溶着によって形成されている、請求項１ないし５のいずれか一項に記載のパンツ型使い捨ておむつ。
【請求項７】
前記外層シートにおける、前記吸収性本体の非肌対向面側に位置する非折り返し部及び前記外層折り返し部が、前記弾性部材の収縮により、前記長手方向に沿う襞を複数形成するようになされており、
前記非接合部の前記長手方向の長さが、前記外層折り返し部の襞の頂点と、前記非折り返し部の襞の頂点との間の前記外装体の厚み方向に沿う長さよりも長い、請求項１ないし６のいずれか一項に記載のパンツ型使い捨ておむつ。
【請求項８】
前記第１伸縮領域における前記弾性部材の太さが、前記第２伸縮領域における前記弾性部材の太さよりも細い、請求項１ないし７のいずれか一項に記載のパンツ型使い捨ておむつ。
【請求項９】
前記第１伸縮領域における前記弾性部材の伸長倍率が、前記第２伸縮領域における前記弾性部材の伸長倍率よりも低い、請求項１ないし８のいずれか一項に記載のパンツ型使い捨ておむつ。
【請求項１０】
前記内層シートは、前記腹側部に、前記吸収性本体の前記長手方向の端部より外方において肌対向面側に折り返された、内層折り返し部を有しており、
前記内層折り返し部は、少なくとも前記股下部側の端部が、該内層折り返し部と相対向する部材と接合されている、請求項１ないし９のいずれか一項に記載のパンツ型使い捨ておむつ。
【請求項１１】
前記外層シートの坪量が、３０ｇ／ｍ２以下である、請求項１ないし１０のいずれか一項に記載のパンツ型使い捨ておむつ。
【請求項１２】
前記内層シートは、前記腹側部に、前記吸収性本体の前記長手方向の端部より外方において肌対向面側に折り返された、内層折り返し部を有しており、
少なくとも前記腹側部において、前記外層折り返し部と前記内層折り返し部との色が互いに異なっている、請求項１ないし１１のいずれか一項に記載のパンツ型使い捨ておむつ。
【発明の詳細な説明】
【技術分野】
【０００１】
本発明は、パンツ型使い捨ておむつに関する。
【背景技術】
【０００２】
パンツ型使い捨ておむつとして、尿等の排泄物を吸収する吸収体を備えた吸収性本体と、該吸収性本体の非肌対向面側に位置する外装体とを具備し、外装体を構成するシート部材どうしの間には、複数の弾性部材が介在しているものが知られている。この複数の弾性部材の伸縮性により、外装体が着用者のウエスト周りや胴周りにフィットし、良好な装着感が奏される。また、外装体を構成するシート部材が、ウエスト開口部の周縁端に沿って肌対向面側に折り返された折り返し部を有するものが知られている。例えば、本出願人は、先に、吸収性本体と、着用者の肌側に位置する内層不織布及び該内層不織布よりも着用者の外側に位置する外層不織布を具備する外包材と、腹側部及び／又は背側部における吸収性本体の長手方向の端部を被覆する被覆シートとを具備し、腹側部及び／又は背側部におけるウエスト開口部の縁部と吸収性本体の長手方向の端部との間に、被覆シートと外層不織布との二層構造からなり、内層不織布が存在しない領域が形成されている、パンツ型使い捨ておむつを提案している（特許文献１）。
【０００３】
また、本出願人は、先に、外装体を構成する外層シート及び内層シートを有し、該外層シートの長手方向端部近傍に、複合伸縮部から形成された端部近傍ギャザーを有し、内層シートは、吸収性本体側に折り返された延出領域が、吸収性本体の長手方向端部の肌当接面側を覆っている、パンツ型使い捨ておむつを提案している（特許文献２）。前記の複合伸縮部は、外装体を構成する外層シート及び内層シートが、接合部により互いに接合され、外層シート及び内層シートそれぞれが各々複数本の弾性部材にわたって連続して延びる複数本の襞を形成することにより構成している。
【０００４】
また、本出願人は、先に、腹側部又は背側部の外装体が、散点状に形成された多数の融着部で接合された２枚のシートと、融着部間を通る弾性部材とを備え、外装体を構成するシート材の折り返し部の一部が吸収性本体の端部の内面を被覆し、ウエスト開口部の周縁端の近傍部が非接合領域であり、非接合領域より股下部側に一対のサイドシール部間の全域にわたる接合領域を有する、パンツ型使い捨ておむつを提案している（特許文献３）。
【先行技術文献】
【特許文献】
【０００５】
【特許文献１】特開２００１−３１４４４１号公報
【特許文献２】特開２００９−０７２５３２号公報
【特許文献３】特開２０１７−１２１３８６号公報
【発明の概要】
【発明が解決しようとする課題】
【０００６】
ところで、男性がパンツ型使い捨ておむつを装着した状態では、液排泄部となる男性性器が腹側部のウエスト開口部側に位置するので、該ウエスト開口部から尿が漏れる場合がある。また、パンツ型使い捨ておむつを着用した着用者が、座位の姿勢で軟便を排泄した場合、軟便がおむつの腹側部のウエスト開口部側にせり上がって、該ウエスト開口部から漏れる場合がある。上記の尿や軟便の漏れを防ぐため、男性性器に尿とりパッドを巻き付けたり、着用者の胴周りに布やティッシュを当てる等の対策が採られているが、このような対策では、装着感や通気性を悪化させると共に、着用者の身体の動きが制限される。
また、パンツ型使い捨ておむつの外面には、腹側部と背側部とで異なる色や絵柄が施されていたり、背側部におむつを廃棄形態にするための廃棄用テープが設けられていたり、あるいは腹側部と背側部とでウエスト開口部近傍に位置する弾性部材の色を異ならせている。このように、腹側部と背側部とでおむつの外面の外観を異ならせると、パンツ型使い捨ておむつの前後の履き間違えを防止し得るが、暗室でおむつを交換する場合や、目の不自由な人がおむつを着用する場合は、有効ではない。また、おむつの外面の外観に統一感がなくなり美観を損なうばかりか、おむつ独特の印象が強調されてしまうので、特に大人用おむつを使用する着用者が、おむつを履くことに抵抗感を感じることがある。
特許文献１〜３は、尿や軟便の漏れを効果的に防止すると共に、おむつの外観を損なうことなく履き間違えを防止する技術を開示するものではない。
【０００７】
したがって本発明の課題は、尿や軟便の漏れを効果的に防止すると共に、おむつの外観を損なうことなく履き間違えを防止するパンツ型使い捨ておむつを提供することにある。
【課題を解決するための手段】
【０００８】
本発明は、吸収体を有する吸収性本体と、該吸収性本体の非肌対向面側に配された外装体とを備え、着用者の腹側に配される腹側部と、着用者の背側に配される背側部と、該腹側部及び該背側部の間に位置する股下部とを有し、該腹側部から該股下部を介して該背側部に延びる方向に対応する長手方向及び該長手方向と直交する幅方向を有し、ウエスト開口部及び一対のレッグ開口部が形成されているパンツ型使い捨ておむつであって、前記外装体は、前記幅方向に沿って伸縮可能になっており、前記外装体は、少なくとも前記腹側部に、前記ウエスト開口部寄りに形成され前記幅方向に伸縮する第１伸縮領域と、該第１伸縮領域よりも前記股下部側に位置し、前記幅方向の伸縮応力が該第１伸縮領域よりも大きい第２伸縮領域とを有しており、前記外層シートは、前記背側部及び前記腹側部のそれぞれに、前記ウエスト開口部の周縁端に沿って肌対向面側に折り返された外層折り返し部を有しており、前記背側部における前記外層折り返し部は、その前記股下部側の端部が、前記吸収性本体の肌対向面上に接合されており、前記腹側部における前記外層折り返し部は、該外層折り返し部と相対向する部材に接合された接合部と、該接合部よりも股下部側に位置し、該外層折り返し部と相対向する部材に接合されていない非接合部とを有しており、前記接合部の前記股下部側の端部が、前記第１伸縮領域に位置している、パンツ型使い捨ておむつを提供するものである。
【発明の効果】
【０００９】
本発明のパンツ型使い捨ておむつによれば、尿や軟便の漏れを効果的に防止すると共に、おむつの外観を損なうことなく履き間違えを防止することができる。
【図面の簡単な説明】
【００１０】
【図１】図１は、本発明の一実施形態であるパンツ型使い捨ておむつを示す図であり、該おむつの外面を目視した状態を示す斜視図である。
【図２】図２は、図１に示すパンツ型使い捨ておむつの展開且つ伸長状態を示す一部破断平面図である。
【図３】図３は、図２のＩＩ−ＩＩ線拡大断面図である。
【図４】図４は、図２のＩＩＩ−ＩＩＩ線拡大断面図である。
【図５】図５は、図２のＩＶ−ＩＶ線拡大断面図である。
【図６】図６は、図３に示す非接合部における外層折り返し部及び内層折り返し部を環状に切り取った部分を模式的に示す図であり、ウエスト開口部の反対側を上にした状態の斜視図である。
【図７】図７は、図１に示すパンツ型使い捨ておむつについて、ウエスト開口部から内側を目視した状態を示す斜視図である。
【図８】図８は、接合部の位置における、外装体の幅方向に沿う拡大断面図である。
【図９】図９は、本発明に用いられる外装体の別の実施形態を示す一部破断斜視図である。
【発明を実施するための形態】
【００１１】
以下本発明を、その好ましい実施形態に基づき図面を参照しながら説明する。図１及び２には、本発明の吸収性物品の一実施形態であるパンツ型使い捨ておむつ１が示されている。おむつ１は、図１に示すように、おむつ１の着用状態において着用者の腹側に配される腹側部Ａと、着用者の背側部に配される背側部Ｂと、これらの間に位置する股下部Ｃとを有している。おむつ１は、着用者の前後方向に対応する方向、即ち腹側部Ａから股下部Ｃを介して背側部Ｂに延びる方向に対応する長手方向Ｘと、これに直交する幅方向Ｙとを有している。おむつ１は、図２に示すように、長手方向Ｘに延びる、該おむつ１を幅方向Ｙに２等分する長手方向中心線ＣＬに対して左右対称に形成されている。
【００１２】
おむつ１は、吸収体２３を有する吸収性本体２を幅方向Ｙの中央部に備えると共に、該吸収性本体２の非肌対向面側、即ち該吸収性本体２よりも着用者の身体から遠い側に配された外装体３を備えている。吸収体２３は、腹側部Ａと背側部Ｂとの間にわたっており、液保持性の吸収性コア（図示せず）と、その外面に接触してこれを包むコアラップシート（図示せず）とを含んで構成されている。外装体３は、腹側部Ａ及び背側部Ｂそれぞれにおける外装体３の長手方向Ｘに沿う両側縁部どうしが、ホットメルト接着剤等の接着剤、ヒートシール、超音波シール等の公知の接合手段によって互いに接合されて、一対のサイドシール部Ｓ，Ｓ、並びに着用者の胴が通されるウエスト開口部ＷＨ、及び着用者の下肢が通される一対のレッグ開口部ＬＨ（一方のみ図示）が形成されている。
【００１３】
本明細書において、「肌対向面」は、吸収性物品又はその構成部材（例えば表面シート）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側に向けられる面、即ち相対的に着用者の肌から遠い側である。なお、ここでいう「着用時」は、通常の適正な着用位置、即ち当該吸収性物品の正しい着用位置が維持された状態を意味する。
【００１４】
吸収性本体２は、図２に示す如きおむつ１の展開且つ伸長状態において、平面視長方形形状をなし、腹側部Ａから背側部Ｂにわたって長手方向Ｘに延在しており、その長手方向を展開且つ伸長状態におけるおむつ１の長手方向Ｘに一致させて、外装体３の幅方向Ｙの中央部に配置され、接着剤により外装体３に接合されている。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで広げた状態をいう。
【００１５】
吸収性本体２は、図３に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を具備しており、これらが接着剤等の公知の接合手段により一体化されて構成されている。吸収性本体２の長手方向Ｘの全長は、吸収体２３のそれと略同じであり、吸収体２３の長手方向の前後に位置する両端縁は、吸収性本体２の長手方向の前後に位置する両端縁と同位置にある。表面シート２１及び裏面シート２２としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。
【００１６】
吸収体２３は、図２に示す如き平面視において長手方向Ｘに長い長方形形状をなし、腹側部Ａから背側部Ｂにわたって長手方向Ｘに延在している。本実施形態における吸収体２３は、長手方向Ｘの両端部の位置が、吸収性本体２の長手方向Ｘの両端部の位置と略一致している。
【００１７】
図２に示すように、吸収性本体２の肌対向面における長手方向Ｘに沿う両側部には、液抵抗性又は撥水性で且つ通気性の防漏カフ形成用シートから構成された一対の防漏カフ２６，２６が設けられている。各防漏カフ２６は、長手方向Ｘに伸長状態で配された糸状の防漏カフ形成用弾性部材（不図示）を１本以上具備しており、該弾性部材がおむつ１の着用時に収縮することによって少なくとも股下部Ｃで起立する。
【００１８】
外装体３は、図２に示す如き展開且つ伸長状態のおむつ１の外形を形作っており、外装体３の周縁は、その状態のおむつ１の輪郭線、即ち腹側部Ａ、股下部Ｃ及び背側部Ｂそれぞれの輪郭線を形成している。外装体３は、図２に示すように、股下部Ｃにおいて、外装体３の長手方向Ｘに沿う両側縁部が幅方向Ｙの中央に向かって凸の円弧状に湾曲しており、長手方向Ｘの中央域が幅方向Ｙの内方に向けて括れている。
【００１９】
外装体３は、図２〜図５に示すように、おむつ１の外面即ち非肌対向面を形成する外層シート３１と、外層シート３１の肌対向面側に配置された内層シート３６と、これら両シート３１，３６間に配された複数の弾性部材４１，４６とを有している。弾性部材４１，４６は、幅方向Ｙに沿って配されている（図１参照）。本実施形態において外装体３は、長手方向Ｘにおいて吸収性本体２よりも外方側に位置する胴周り弾性部材４１と、同方向Ｘにおける吸収性本体２の両端部よりも内方側に位置する弾性部材４６とを有している（図５参照）。長手方向Ｘに吸収性本体２と重なる位置に配された弾性部材４６は、該吸収性本体２と厚み方向に重なる領域で、細かく分断する等の処理によって弾性伸縮性を発現しないように配されていてもよい。外装体３は、腹側部Ａ及び背側部Ｂそれぞれに、糸状又は帯状の弾性部材４１，４６が幅方向Ｙに伸長状態で複数本配され、それら複数本の弾性部材４１，４６は長手方向Ｘに所定間隔を置いて間欠配置されている。このように、弾性部材４１，４６が、その弾性伸縮性が発現される状態で配されていることにより、ウエスト開口部ＷＨの開口縁部には、その全周にわたって実質的に連続した環状のウエストギャザー（襞）が形成される。
【００２０】
外装体３は、腹側部Ａ及び背側部Ｂそれぞれに、ウエスト開口部ＷＨ寄りに形成され幅方向Ｙに伸縮する第１伸縮領域４０と、該第１伸縮領域４０よりも股下部Ｃ側に位置し幅方向Ｙに伸縮する第２伸縮領域４５とを有している。第２伸縮領域４５は、幅方向Ｙの伸縮応力が第１伸縮領域４０よりも大きい。幅方向Ｙの伸縮応力は、幅方向Ｙに収縮する応力であり、各伸縮領域４０，４５の前記伸縮応力の大小関係は、下記に記載の〔伸縮応力の測定方法〕により確認することができる。各伸縮領域４０，４５は、幅方向Ｙに伸縮性を発現している領域であり、前記の弾性部材４１，４６を配することによって形成されている。第１伸縮領域４０に配された弾性部材を第１弾性部材４１といい、第２伸縮領域４５に配された弾性部材を第２弾性部材４６という。第１伸縮領域４０は複数の第１弾性部材４１を有し、第２伸縮領域４５は複数の第２弾性部材４６を有している。本実施形態において、第１伸縮領域４０は、長手方向Ｘにおいてウエスト開口部の周縁端ＷＥと吸収体２３の端部２３ａとの間に位置しており、第２伸縮領域４５は、該吸収体２３の端部２３ａよりも股下部Ｃ側に位置している。外装体３は、少なくとも腹側部Ａに、第１及び第２伸縮領域４０，４５を有していればよい。
【００２１】
〔伸縮応力の測定方法〕
上述したおむつ１を例に挙げて説明すると、おむつ１のサイドシール部Ｓを引き剥がして、おむつ１を展開状態とし、その展開状態のおむつ１から吸収性本体２を取り除く。次に、吸収性本体２を取り除いた伸長させた状態の外装体３から、伸縮応力の測定対象部位を、平面視長方形形状の測定サンプルとして切り出す。先ず、長手方向Ｘにおいて、最もウエスト開口部ＷＨ側に位置する第１弾性部材４１よりもウエスト開口部ＷＨ側に５ｍｍ離間した位置と、最も股下部Ｃ側の第１弾性部材４１よりも股下部Ｃ側に５ｍｍ離間した位置との間の領域を切り出し、これを第１伸縮領域４０の測定サンプルとする。長手方向Ｘにおいて、最もウエスト開口部ＷＨ側に位置する第１弾性部材４１と、ウエスト開口部ＷＨとの間の長さが５ｍｍ未満である場合、第１伸縮領域４０の測定サンプルは、ウエスト開口部ＷＨの周縁端から切り出す。次に、最もウエスト開口部ＷＨ側に位置する第２弾性部材４６よりもウエスト開口部ＷＨ側に５ｍｍ離間した位置と、最も股下部Ｃ側に位置する第２弾性部材よりも股下部Ｃ側に５ｍｍ離間した位置との間の領域を切り出し、これを第２伸縮領域４５の測定サンプルとする。長手方向Ｘにおいて、最も股下部Ｃ側に位置する第２弾性部材と、レッグ開口部との間の長さが５ｍｍ未満である場合、第２伸縮領域４５の測定サンプルは、レッグ開口部の周縁端から切り出す。また、最も股下部Ｃ側に位置する第１弾性部材と、最もウエスト開口部側に位置する第２弾性部材４６との間隔が１０ｍｍ未満である場合、該間隔を二等分する中央線を、第１伸縮領域４０と第２伸縮領域との境界線とし、これら両領域の測定サンプルを該境界線で切り出すこととする。
切り出した各測定サンプルに関し、おむつ１の長手方向（Ｘ方向）に対応する方向の長さと、幅方向（Ｙ方向）に対応する方向の長さ、即ちサイドシール部Ｓ,Ｓ間の全長とを測定しておく。次に、測定サンプルを、該測定サンプルの幅方向（Ｙ方向）と引張方向とが一致するように、引張試験機（例えば、オリエンテック社製の「ＲＴＡ−１００」等）のチャック間に固定する。チャック間距離は、１００ｍｍとする。そして、チャック間に測定サンプルを固定し、３００ｍｍ／ｍｉｎの速度で、チャック間距離を、測定サンプルの伸長度が８０となる長さまで増大させた後、測定サンプルの伸長度が７１となる長さまで減少させたときの引張り荷重（Ｎ）を測定し、これを測定サンプルの応力（Ｎ）とする。測定サンプルの伸長度は、サイドシール部Ｓ,Ｓ間の幅方向（Ｙ方向）の全長を１００としたとき、該全長に対する、幅方向に伸長させた測定サンプルの幅方向の長さの比率である。即ち、伸長度１００の測定サンプルの幅方向の長さは、サイドシール部Ｓ,Ｓ間の幅方向（Ｙ方向）の全長と等しい。例えば、前記全長が３５０ｍｍである場合、伸長度８０の測定サンプルの幅方向の長さは２８０ｍｍであり、伸長度７１の測定サンプルの幅方向の長さは２５０ｍｍである。そして、得られた応力（Ｎ）を予め測定した長手方向（Ｘ方向）の長さで除して得られる値を、当該測定サンプルの伸縮応力（Ｎ／ｍｍ）とする。
【００２２】
外層シート３１及び内層シート３６は、図３に示すように、腹側部Ａ及び背側部Ｂそれぞれにおいて、ウエスト開口部の周縁端ＷＥに沿って肌対向面側に折り返されている。外層シート３１において、吸収性本体２の非肌対向面側に位置する部分を外層非折り返し部３３といい、ウエスト開口部の周縁端ＷＥに沿って肌対向面側に折り返された部分を外層折り返し部３２という。また、内層シート３６において、吸収性本体２の非肌対向面側に位置する部分を内層非折り返し部３８といい、吸収性本体２の長手方向Ｘの端部より外方において肌対向面側に折り返された部分を内層折り返し部３７という。長手方向Ｘに沿う断面視において、外装体３の非肌対向面側から、外層非折り返し部３３、内層非折り返し部３８、内層折り返し部３７、及び外層折り返し部３２がこの順で、外装体３の厚み方向に沿って配されている（図３〜図５参照）。
【００２３】
背側部Ｂにおける外層折り返し部３２ｂは、その股下部Ｃ側の端部が、吸収性本体２の肌対向面上に接合されている。背側部Ｂにおいて外層折り返し部３２ｂは、図４に示すように、長手方向Ｘにおける吸収性本体２の背側部Ｂ側の端部を被覆しており、その被覆した部分において、外層折り返し部３２ｂと、表面シート２１の肌対向面とが接合部５５を介して接合されている。この外層折り返し部３２ｂと、表面シート２１とを接合する接合部を背側接合部５５ともいう。背側接合部５５は、接着剤等の公知の接合手段により形成されている。
【００２４】
腹側部Ａにおける外層折り返し部３２ａは、該外層折り返し部３２ａと相対向する部材に接合された接合部５０と、該接合部５０よりも股下部Ｃ側に位置し、該外層折り返し部３２ａと相対向する部材に接合されていない非接合部５３とを有している。本実施形態において、「外層折り返し部３２ａと相対向する部材」は内層シート３６であり、より具体的には内層折り返し部３７ａである（図３及び図５参照）。外層折り返し部３２ａの股下部Ｃ側の端部５３ａが、吸収性本体２の腹側部Ａ側の端部よりも股下部Ｃ側に位置する場合、幅方向Ｙにおいて吸収性本体２が配された位置において、外層折り返し部３２ａは、内層シート３６及び吸収性本体２と相対向する。また、幅方向Ｙにおいて吸収性本体２が配されていない位置において、外層折り返し部３２ａは、内層シート３６と相対向する。本実施形態において、接合部５０は、外層折り返し部３２ａと内層折り返し部３７ａとを接合している（図３参照）。この接合部５０を、以下、腹側接合部５０ともいう。長手方向Ｘにおいて、腹側接合部５０より股下部Ｃ側には非接合部５３が配されている。
【００２５】
腹側接合部５０の股下部Ｃ側の端部５０ａは、第１伸縮領域４０に位置している。本実施形態における腹側接合部５０は、その全体が第１伸縮領域４０の範囲内に位置している。腹側接合部５０の股下部Ｃ側の端部５０ａの位置は、第１伸縮領域４０において最も股下部Ｃ側に位置する第１弾性部材４１と同じ位置であってもよい。以下、腹側接合部５０の股下部Ｃ側の端部５０ａを、単に下方端部５０ａともいう。
【００２６】
腹側部Ａの外層折り返し部３２ａでは、前記の非接合部５３が、外層折り返し部３２ａと相対向する内層折り返し部３７ａから離間するように動く可動部となる。特に、接合部５０の股下部Ｃ側の端部５０ａが、第１伸縮領域４０に位置していると、外層折り返し部３２ａは、該端部５０ａよりも股下部Ｃ側の非接合部５３の部分が、内層折り返し部３７ａから容易に離間する。前述したように、外装体３は、弾性部材４１，４６の伸縮によって、長手方向Ｘに延びる襞が形成されるが、外層折り返し部３２ａの非接合部５３は、内層折り返し部３７ａから離間し得るので、該襞に対する追従性が低く、図６に示すように、着用状態において着用者の肌Ｅに対する密着性が高い。これにより、外層折り返し部３２ａの非接合部５３と、肌Ｅとの間に隙間が生じ難くなり、腹側部Ａにおける股下部Ｃ側からウエスト開口部ＷＨへの尿や軟便の漏れを効果的に防ぐことができる。他方、内層折り返し部３７ａ、内層非折り返し部３８ａ、及び外層非折り返し部３３ａが、前記の襞を形成するため、襞による通気性を確保することができる。
【００２７】
おむつ１において、腹側部Ａの外層折り返し部３２ａは非接合部５３を有しているが、背側部Ｂの外層折り返し部３２ｂは、相対向する内層折り返し部３７ｂから離間し得る可動部を有していない。したがって、おむつ１は、前記の可動部の有無によって、腹側部Ａと背側部Ｂとを識別することができる。例えば、おむつ１を着用する際に、ウエスト開口部ＷＨからおむつ１の内側を目視すると、背側部Ｂでは外層折り返し部３２ｂに襞が形成されている一方、腹側部Ａでは非接合部５３が略平坦な面を形成しているので、容易に腹側部Ａと背側部Ｂを目視で識別することができる（図７参照）。また、暗室でおむつを交換する場合や、目の不自由な人がおむつを着用する場合は、ウエスト開口部近傍の外層折り返し部３２に触れることで、襞が形成された外層折り返し部３２ｂと、襞が形成されていない外層折り返し部３２ａとを識別することができる（以下、識別効果ともいう）。このようにおむつ１では、腹側部Ａ及び背側部Ｂにおける外装体３の外観を異ならせることなく、腹側部Ａと背側部Ｂとを識別することができ、おむつ１の履き間違えを効果的に防止することができる。その結果、おむつ１では、外装体３全体の外観に統一感を付与することができるので、おむつ独特の印象が薄れて、着用者がおむつを履くことに抵抗感を感じ難くなる。
【００２８】
前記の襞と着用者の肌Ｅとの間に該非接合部５３を容易に介在させて、尿や軟便の漏れ防止効果をより向上させる観点から、下方端部５０ａが、長手方向Ｘにおいて、ウエスト開口部の周縁端ＷＥと吸収体２３の端部２３ａとの間に位置していることが好ましい（図３参照）。
上記と同様の観点から、長手方向Ｘにおけるウエスト開口部の周縁端ＷＥと吸収体２３の端部２３ａとの間の長さをＬ３（図３参照）とし、ウエスト開口部の周縁端ＷＥと腹側接合部５０の下方端部５０ａとの間の長さをＬ５（図３参照）としたとき、Ｌ３及びＬ５の長さは以下の範囲であることが好ましい。
前記Ｌ３に対する前記Ｌ５の比率Ｌ５／Ｌ３は、好ましくは０．０１以上、より好ましくは０．０３以上であり、また好ましくは０．８５以下、より好ましくは０．７５以下であり、また好ましくは０．０１以上０．８５以下、より好ましくは０．０３以上０．７５以下である。
前記Ｌ３（図３参照）は、好ましくは１０ｍｍ以上、より好ましくは１５ｍｍ以上であり、また好ましくは１３０ｍｍ以下、より好ましくは１５０ｍｍ以下であり、また好ましくは１０ｍｍ以上１５０ｍｍ以下、より好ましくは１５ｍｍ以上１００ｍｍ以下である。
前記Ｌ５（図３参照）は、好ましくは２ｍｍ以上、より好ましくは５ｍｍ以上であり、また好ましくは９５ｍｍ以下、より好ましくは１２８ｍｍ以下であり、また好ましくは２ｍｍ以上１２８ｍｍ以下、より好ましくは５ｍｍ以上９５ｍｍ以下である。
【００２９】
非接合部５３の股下部Ｃ側の端部５３ａは、長手方向Ｘにおいて、ウエスト開口部の周縁端ＷＥと吸収体２３の端部２３ａとの間に位置していることが好ましい。斯かる構成により、非接合部５３が吸収体２３と重ならず、吸収体２３に尿等の排泄物を円滑に吸収させることができる。
上記と同様の観点から、ウエスト開口部の周縁端ＷＥと非接合部５３の股下部Ｃ側の端部５３ａとの間の長さ、即ち腹側部Ａにおける外層折り返し部３２ａの長手方向Ｘの長さをＬ７（図３参照）としたとき、当該Ｌ７は以下の範囲内であることが好ましい。
前記Ｌ３に対する前記Ｌ７の比率Ｌ７／Ｌ３は、好ましくは０．０２以上、より好ましくは０．０６以上であり、また好ましくは１以下、より好ましくは０．９８以下であり、また好ましくは０．０２以上１以下、より好ましくは０．０６以上０．９８以下である。
前記Ｌ７（図３参照）は、好ましくは４ｍｍ以上、より好ましくは８ｍｍ以上であり、また好ましくは１００ｍｍ以下、より好ましくは１３０ｍｍ以下であり、また好ましくは４ｍｍ以上１３０ｍｍ以下、より好ましくは８ｍｍ以上１００ｍｍ以下である。
【００３０】
腹側接合部５０は、接着剤等の公知の接合手段によって形成される。本実施形態の腹側接合部５０は、溶着よって形成されている。斯かる構成により、腹側部Ａにおけるウエスト開口部ＷＨ近傍、より具体的には接合部５０における剛性を低くし、外層折り返し部３２ａを柔軟にして、肌触りを良好にすることができる。溶着による腹側接合部５０は、超音波溶着装置等の公知の手段によって形成することができる。
【００３１】
本実施形態では、複数の腹側接合部５０が、幅方向Ｙに沿って間欠的に形成されている。これに代えて、腹側接合部５０は、幅方向Ｙに連続した状態で形成されていてもよい。
【００３２】
外層非折り返し部３３及び外層折り返し部３２は、図８に示すように、外装体３における弾性部材４１，４６の収縮により、長手方向Ｘに沿う襞を複数形成するようになされている。本実施形態において、外層非折り返し部３３ａと、内層非折り返し部３８ａ、内層折り返し部３７ａ及び外層折り返し部３２ａとは、弾性部材４１から離れる方向に膨らむように変形して、襞を形成している。非接合部５３を指先等で触れ易くして、該非接合部５３を知覚し易くする観点から、非接合部５３の長手方向Ｘの長さをＬ９（図３参照）、外装体３の厚み方向Ｚにおける、外層折り返し部３２ａの襞の頂点ｔ１と、外層非折り返し部３３ａの襞の頂点ｔ２との間の長さをＬ１０（図８参照）としたとき、Ｌ９はＬ１０よりも長いことが好ましい。上記と同様の観点から、Ｌ９及びＬ１０の長さは以下の範囲であることが好ましい。
前記Ｌ１０（図８参照）に対する前記Ｌ９（図３参照）の比率はＬ９／Ｌ１０は、好ましくは１以上、より好ましくは１．０５以上であり、また好ましくは６４以下、より好ましくは３８以下であり、また好ましくは１以上６４以下、より好ましくは１．０５以上３８以下である。
前記Ｌ９（図３参照）は、好ましくは２ｍｍ以上、より好ましくは３ｍｍ以上であり、また好ましくは１２８ｍｍ以下、より好ましくは９７ｍｍ以下であり、また好ましくは２ｍｍ以上１５０ｍｍ以下、より好ましくは９ｍｍ以上１００ｍｍ以下である。
前記Ｌ１０（図８参照）は、好ましくは２ｍｍ以上、より好ましくは２．５ｍｍ以上であり、また好ましくは１０ｍｍ以下、より好ましくは８ｍｍ以下であり、また好ましくは２ｍｍ以上１０ｍｍ以下、より好ましくは２．５ｍｍ以上８ｍｍ以下である。前記Ｌ１０の測定方法を以下に示す。腹側接合部５０における幅方向Ｙに沿う断面視において、任意の外層折り返し部３２ａの襞、及び該襞と幅方向Ｙに隣り合う外層非折り返し部３３ａの襞の組み合わせを２組選択し、外層折り返し部３２ａの襞の頂点ｔ１と、外層非折り返し部３３ａの襞の頂点ｔ２との間の長さを、マイクロスコープ（KEYENCE社製VH-Z 20 UR）を用いて測定し、これらの平均値を前記のＬ１０とする。前記断面視により測定し難い場合には、大きさ２５ｍｍ×２５ｍｍ、厚み２ｍｍのアルミプレートを、その中心が襞の各頂点に一致するように置き、非接触式レーザー変位計（KEYENCE社製レーザーヘッドＬＫ−２１００、変位計RV 3-55 R）を用い、サンプルの厚みを測定する。厚み測定時の圧力は０．５ｇ／ｃｍ２とする。
【００３３】
第１伸縮領域４０は、第２伸縮領域４５よりも幅方向Ｙの伸縮応力が小さい。このように、第１及び第２伸縮領域の伸縮応力の大小関係を満たす観点から、第１及び第２弾性部材４１，４６は、下記の構成（１）〜（３）のいずれか、又はこれら２以上を組み合わせて具備することが好ましい。
構成（１）：第１弾性部材４１の太さは、第２弾性部材４６の太さよりも細い。
構成（２）：第１弾性部材４１の伸長倍率が、第２弾性部材４６の伸長倍率よりも低い。
構成（３）：長手方向Ｘにおける第１弾性部材４１間の間隔が、同方向Ｘにおける第２弾性部材４６間の間隔よりも長い。
【００３４】
第１伸縮領域４０及び第２伸縮領域４５は、前記の構成（１）〜（３）に基づき、以下の方法により特定される。
ウエスト開口部の周縁端ＷＥから股下部Ｃ側に向かって順次、前記構成（１）の弾性部材の太さ、前記構成（２）の弾性部材の伸長倍率、又は前記構成（３）の弾性部材間の間隔を測定する。
前記構成（１）については、測定対象とする弾性部材ｆ２の太さが、直前に測定した弾性部材ｆ１の太さよりも太くなった場合、ウエスト開口部の周縁端ＷＥに最も近い弾性部材から、前記の直前に測定した弾性部材ｆ１までの領域を第１伸縮領域として特定する。また、前記の測定対象とする弾性部材ｆ２から最も股下部Ｃ側に位置する弾性部材までの領域を第２伸縮領域として特定する。「弾性部材の太さ」は、弾性部材の非伸長状態における太さをいい、弾性部材が糸状である場合には、その断面の直径で表すものである。弾性部材が複数の弾性繊維の束で構成されている場合には、外装体から弾性部材を一定の長さ（例：１００ｍｍ）で切り出したものをサンプルとし、該サンプルの長さとその質量から、単位長さ当りの重さを「弾性部材の太さ（繊度）」として表してもよい。
【００３５】
前記構成（２）については、測定対象とする弾性部材ｆ２の伸長倍率が、直前に測定した弾性部材ｆ１の伸長倍率よりも高くなった場合、ウエスト開口部の周縁端ＷＥに最も近い弾性部材から、前記の直前に測定した弾性部材ｆ１までの領域を第１伸縮領域として特定し、前記の測定対象とする弾性部材ｆ２から最も股下部Ｃ側に位置する弾性部材までの領域を第２伸縮領域として特定する。伸長倍率の測定を以下に示す。先ず、おむつを弾性部材の伸縮方向に最大に伸長させた状態にして、外層シート上から弾性部材に油性ペンを用いて、該伸縮方向に一定間隔Ｌ０（例：１００ｍｍ）をあけて２つの印を付ける。この際、油性ペンのインクが、外層シートから浸み込むため、弾性部材に前記印を付すことができる。次いで、おむつにおける弾性部材から、前記２つの印間を切り出す。この切り出した弾性部材の長さＬ１を非伸長状態で測定する。次いで、下記式〔１〕により、伸長倍率を求める。
伸長倍率（％）＝（Ｌ０／Ｌ１）×ｌ００・・・〔１〕
【００３６】
前記構成（３）については、ウエスト開口部の周縁端ＷＥ側に配置された弾性部材に比して、長手方向Ｘにおける弾性部材間の間隔が小さい弾性部材を特定し、該特定した弾性部材から最も股下部Ｃ側に位置する弾性部材までの領域を第２伸縮領域として特定する。また、前記の特定した弾性部材のウエスト開口部の周縁端ＷＥ側に隣り合う弾性部材から、最もウエスト開口部の周縁端ＷＥ側に位置する弾性部材までの領域を第１伸縮領域として特定する。
【００３７】
外層折り返し部３２ａの非接合部５３と着用者の肌Ｅとの密着性を向上させる観点から、第１及び第２伸縮領域４０，４５の寸法は以下の範囲内であることが好ましい。
長手方向Ｘにおける第１伸縮領域４０の長さをＬ１２とし、ウエスト開口部の周縁端ＷＥと腹側接合部５０の下方端部５０ａとの間の長さをＬ５としたとき、Ｌ５に対するＬ１２の比率Ｌ１２／Ｌ５は、好ましくは１．０以上５．０以下、より好ましくは１．２以上４．０以下である。
長手方向Ｘにおける第２伸縮領域４５の長さをＬ１４としたとき、非接合部５３の長手方向Ｘの長さＬ９に対するＬ１４の比率Ｌ１４／Ｌ９は、好ましくは１．０以上２０以下、より好ましくは１．５以上１８以下である。
長手方向Ｘにおける第１伸縮領域４０の長さＬ１２は、好ましくは１０ｍｍ以上５０ｍｍ以下、より好ましくは１２ｍｍ以上４５ｍｍ以下である。
長手方向Ｘにおける第２伸縮領域４５の長さＬ１４は、好ましくは１５ｍｍ以上１００ｍｍ以下、より好ましくは１８ｍｍ以上９０ｍｍ以下である。
【００３８】
外層折り返し部３２ａの非接合部５３を、該非接合部５３と相対向する部材から離間させ易くする観点から、腹側部Ａにおける内層折り返し部３７ａは、少なくとも股下部Ｃ側の端部が、該内層折り返し部３７ａと相対向する部材と接合されていることが好ましい。本実施形態において、内層折り返し部３７ａは、該内層折り返し部３７ａと相対向する内層非折り返し部３８ａ及び吸収性本体２の表面シート２１に、接合部５２を介してそれぞれ接合されている（図３参照）。内層折り返し部３７ａと、これと相対向する部材とを接合する接合部５２は、接着剤等の公知の接合手段により形成される。
【００３９】
前記の非接合部５３を柔軟性を高めて、肌触りや装着感を向上させる観点から、外層シート３１の坪量は、好ましくは３０ｇ／ｍ２以下、より好ましくは２０ｇ／ｍ２以下であり、外層シート３１の強度を確保する観点から、外層シート３１の坪量は、好ましくは１１ｇ／ｍ２以上、より好ましくは１５ｇ／ｍ２以上である。また、外層シート３１の肌触りや装着感と強度の両立の観点から、好ましくは１１ｇ／ｍ２以上３０ｇ／ｍ２以下、より好ましくは１５ｇ／ｍ２以上２０ｇ／ｍ２以下である。
【００４０】
外層シート３１、又は内層シート３６等の、外装体３を構成するシートとしては、各種製法による不織布を用いることができ、例えばスパンボンド不織布、エアスルー不織布、スパンレース不織布、ヒートロール不織布、メルトブローン不織布、又はこれらの積層不織布等が挙げられる。
【００４１】
本実施形態の腹側部Ａ及び背側部Ｂにおいて、外層折り返し部３２ａの色と、内層折り返し部３７ａの色とは同系色である。「同系色」とは、同系統の色であって、色相が同じ又は近似する色を意味する。色相が近似するか否かは、下記の〔色相の判定方法〕により確認される。非接合部５３の視認性を高めて、前記の識別効果を向上させる観点から、少なくとも腹側部Ａにおいて、外層折り返し部３２と内層折り返し部３７との色が互いに異なっていることが好ましい。「色が互いに異なっている」とは、外層折り返し部３２ａのＨ（色相）の平均段階値と、内層折り返し部３７のＨ（色相）の平均段階値との差が±２０ポイント超であることを意味する。Ｈ（色相）の平均段階値は、下記の〔色相の判定方法〕により測定される。
【００４２】
〔色相の判定方法〕
画像解析ソフト（例えば、Ｗａｙｎｅ  Ｒａｓｂａｎｄ社製の「Ｉｍａｇｅ  Ｊ」）を用いて、外層折り返し部及び内層折り返し部のカラーデジタル画像における各画素のＨ（色相）を測定する。Ｈ（色相）は、８ビットの信号により０〜２５５の２５６段階で表したときの平均段階値とする。外層折り返し部のＨ（色相）の平均段階値と、内層折り返し部のＨ（色相）の平均段階値との差が±２０ポイント以内である場合を、「色相が近似する」と判断する。前記Ｈ（色相）は１周すると元の色に戻る関係で、Ｈ（色相）の平均段階値０とＨ（色相）の平均段階値２５５とは大変近い色味となることを意味する。例えば、Ｈ（色相）の平均段階値が５であった場合、それと色相が近似するとは、Ｈ（色相）の平均段階値が、２４１〜２５５又は０〜２５であることを意味する。
【００４３】
おむつ１について更に説明すると、図１及び図２に示すように、レッグ開口部ＬＨそれぞれの開口縁部を形成するレッグ縁部ＬＳには、糸状又は帯状の１本又は複数本のレッグギャザー形成用のレッグ弾性部材４９が伸長状態で配されており、これによってレッグ開口部ＬＨそれぞれの開口縁部には、その全周にわたって実質的に連続した環状のレッグギャザーが形成される。外装体３における弾性部材４１，４６，４９は、いずれも外装体３を構成する外層シート３１と内層シート３６との間に接着剤等の接合手段により挟持固定されている。
【００４４】
吸収体２３における吸収性コアの主体をなす吸収性材料としては、この種の吸収性物品において吸収体の材料として用いられるものを特に制限なく用いることができ、例えば、木材パルプ、親水化処理された合成繊維、吸水性ポリマー等が挙げられる。吸収性コアの典型的な形態として、木材パルプ等の親水性繊維の繊維集合体、又は該繊維集合体に粒子状の吸水性ポリマーを保持させたものを例示できる。
【００４５】
おむつ１において、コアラップシートは、吸収性コアの肌対向面及び非肌対向面の全域を被覆している。コアラップシートは連続した１枚のシートであってもよく、吸収性コアの肌対向面を被覆する１枚の肌側コアラップシートと、該肌側コアラップシートとは別体で、吸収性コアの非肌対向面を被覆する１枚の非肌側コアラップシートとを含んで構成されていてもよい。コアラップシートとしては、紙、各種不織布、開孔フィルム等の液透過性シートを用いることができる。吸収性コアとコアラップシートとの間は、ホットメルト接着剤等の公知の接合手段により接合されていてもよい。
【００４６】
上述した実施形態において伸縮領域４０，４５は、外層シート３１及び内層シート３６との間に複数の弾性部材４１，４６を配することで伸縮性を有していたが、外層シート３１及び内層シート３６との間にシート状の弾性部材を配していてもよい。また、外層シート３１及び内層シート３６のいずれか一方又は双方が幅方向Ｙに収縮する伸縮シートで構成されていてもよい。伸縮シートとしては、各種公知のものを用いることができ、例えば、特開２００８−１７９１２８号公報に記載の伸縮シート、特開２００７−２２０６６号公報に記載の伸縮シート、同公報に記載の伸縮性不織布の製造方法により製造される伸縮性不織布、特開平１０−２９２５９号公報に記載の積層シート等を用いることもできる。
【００４７】
例えば特開２００８−１７９１２８号公報に記載の伸縮シートを用いた伸縮可能な外装体を有するおむつの実施形態は以下に述べるとおりである。
図1ないし図８に示す実施形態においては、おむつ１の外装体は、外層シート３１と、外層シート３１の肌対向面側に配された内層シート３６と、外層シート３１と内層シート３６との間に配された複数の弾性部材４１，４６とを有していたが、これに代えて、図９に示す伸縮シートからなる外装体を用いることができる。図９に示す伸縮シート１３０は、互いに交差せずに一方向に延びるように配列した複数の弾性フィラメント１３１が、実質的に非伸長状態で、それらの全長にわたり、伸長可能な不織布１３２，１３３に接合されているものである。
【００４８】
各弾性フィラメント１３１は、第１及び第２の不織布１３２，１３３と接合している。第１の不織布１３２と第２の不織布１３２は、同種のものでもよく、あるいは異種のものでもよい。ここでいう同種の不織布とは、不織布の製造プロセス、不織布の構成繊維の種類、構成繊維の繊維径や長さ、不織布の厚みや坪量等がすべて同じである不織布どうしを意味する。これらのうちの少なくとも一つが異なる場合には異種の不織布であるという。また「弾性」とは、伸ばすことができ、且つ元の長さに対して１００％伸ばした状態（元の長さの２００％の長さになる）から力を解放したときに、元の長さの１２５％以下の長さまで戻る性質をいう。
【００４９】
各不織布１３２，１３３はいずれも伸長可能なものである。各不織布１３２，１３３は、弾性フィラメント１３１の延びる方向と同方向に伸長可能になっている。伸長可能とは、（イ）不織布１３２，１３３の構成繊維自体が伸長する場合と、（ロ）構成繊維自体は伸長しなくても、交点において結合していた繊維どうしが離れたり、繊維どうしの結合等により複数本の繊維で形成された立体構造が構造的に変化したり、構成繊維がちぎれたり、繊維のたるみが引き伸ばされたりして、不織布全体として伸長する場合とを包含する。
【００５０】
各不織布１３２，１３３は、弾性フィラメント１３１と接合される前の原反の状態で既に伸長可能になっていてもよい。あるいは、弾性フィラメント１３１と接合される前の原反の状態では伸長可能ではないが、弾性フィラメント１３１と接合された後に伸長可能となるように加工が施されて、伸長可能になるものであってもよい。不織布を伸長可能にするための具体的な方法としては、熱処理、ロール間延伸、歯溝やギアによるかみ込み延伸、テンターによる引張延伸などが挙げられる。
【００５１】
各弾性フィラメント１３１は、伸縮シート１３０の全長にわたって実質的に連続している。弾性フィラメント１３１は弾性樹脂を含んでいる。各弾性フィラメント１３１は、互いに交差せずに一方向に延びるように配列している。ただし、伸縮シート１３０の製造条件の不可避的な変動に起因して、意図せず弾性フィラメント１３１が交差することは許容される。各弾性フィラメント１３１は、互いに交差しない限り、直線状に延びていてもよく、あるいは蛇行しながら延びていてもよい。
【００５２】
伸縮シート１３０を用いて上述した第１伸縮領域及び第２伸縮領域を形成するためには、例えば、伸縮シート１３０のうち、第１伸縮領域及び第２伸縮領域に対応する領域に配する弾性フィラメント１３１の太さや材質等を適宜調整すればよい。
【００５３】
伸縮シート１３０は、弾性フィラメント１３１が、おむつ１の幅方向Ｙと一致するように外装体３に備えられている。この場合、外装体３は、伸縮シート１３０のみから構成されていてもよく、あるいは伸縮シート１３０と他のシート、例えば非伸縮シートとの積層体から構成されていてもよい。
【００５４】
外装体３が、伸縮シート１３０と非伸縮シートとの積層体から構成されている場合には、伸縮シート１３０を伸長させた状態下に非伸縮シートと接合することが好ましい。特に、伸縮シート１３０と非伸縮シートとは、おむつ１の長手方向Ｘに沿って延び且つ幅方向Ｙに間隔を置いて形成された接合部によって間欠的に接合されていることが好ましい。このような接合を行うことで、伸縮シート１３０の弛緩状態において、隣り合う接合部間で非伸縮シートが伸縮シート１３０から離間して、長手方向Ｘに延びる空間Ｇが両シート間に形成されるようになる。その結果、外装体３は、非伸縮シートの側に長手方向Ｘに延びる規則的な襞が形成される。この襞は、外装体３の肌触りの向上に寄与する。外装体の肌触りを一層向上させる観点から、非伸縮シートが着用者の身体に近い側に位置し且つ伸縮シート１３０が着用者の身体から遠い側に位置するように、外装体３がおむつ１に組み込まれることが好ましい。
【００５５】
以上の外装体３を備えたおむつによっても、先に説明した実施形態のおむつ１と同様の効果が奏される。なお、上述した伸縮シート１３０は、伸長可能な２枚の不織布１３２，１３３の間に弾性フィラメント１３１が配された構造のものであったが、これに代えて伸長可能な１枚の不織布の一面に弾性フィラメント１３１が配された構造の伸縮シートを用いてもよい。この場合、弾性フィラメント１３１は露出した状態になっている。
【００５６】
以上、本発明の好ましい実施形態について説明したが、本発明は、上述した実施形態に制限されず、本発明の趣旨を逸脱しない範囲で種々変更が可能である。
例えば上述した実施形態のおむつは、内層シート３６がウエスト開口部の周縁端ＷＥに沿って肌対向面側に折り返されていたが、内層シート３６は、折り返されていなくともよい。この場合、外層シート３１は、内層シート３６の長手方向Ｘの端縁から延出し、内層シート３６の肌対向面側に折り返される。
また、上述した実施形態のおむつは、展開且つ伸長状態において、外装体３が腹側部Ａ、股下部Ｃ及び背側部Ｂにわたって連続していたが、外装体３は、着用者の背側に配される背側外装体と腹側に配される腹側外装体とに分割されたものであってもよい。この場合、吸収性本体が、背側外装体と腹側外装体との間に架け渡して固定される。
更に、上述した実施形態において、第２伸縮領域４５は、長手方向Ｘにおける吸収体２３の端部２３ａよりも股下部Ｃ側に位置していたが、第２伸縮領域４５の一部が、該吸収体２３の端部２３ａよりもウエスト開口部の周縁端ＷＥ側に位置していてもよい。
【００５７】
上述した実施形態に関し、更に以下の使い捨ておむつを開示する。
＜１＞
吸収体を有する吸収性本体と、該吸収性本体の非肌対向面側に配された外装体とを備え、着用者の腹側に配される腹側部と、着用者の背側に配される背側部と、該腹側部及び該背側部の間に位置する股下部とを有し、該腹側部から該股下部を介して該背側部に延びる方向に対応する長手方向及び該長手方向と直交する幅方向を有し、ウエスト開口部及び一対のレッグ開口部が形成されているパンツ型使い捨ておむつであって、
前記外装体は、前記幅方向に沿って伸縮可能になっており、
前記外装体は、少なくとも前記腹側部に、前記ウエスト開口部寄りに形成され前記幅方向に伸縮する第１伸縮領域と、該第１伸縮領域よりも前記股下部側に位置し、前記幅方向の伸縮応力が該第１伸縮領域よりも大きい第２伸縮領域とを有しており、
前記外層シートは、前記背側部及び前記腹側部のそれぞれに、前記ウエスト開口部の周縁端に沿って肌対向面側に折り返された外層折り返し部を有しており、
前記背側部における前記外層折り返し部は、その前記股下部側の端部が、前記吸収性本体の肌対向面上に接合されており、
前記腹側部における前記外層折り返し部は、該外層折り返し部と相対向する部材に接合された接合部と、該接合部よりも股下部側に位置し、該外層折り返し部と相対向する部材に接合されていない非接合部とを有しており、
前記接合部の前記股下部側の端部が、前記第１伸縮領域に位置している、パンツ型使い捨ておむつ。
【００５８】
＜２＞
前記外装体は、前記使い捨ておむつの外面を形成する非肌対向面側の外層シートと、該外層シートの肌対向面側に配された内層シートと、該外層シートと該内層シートとの間に前記幅方向に沿って配された複数の弾性部材とを有している、前記＜１＞に記載のパンツ型使い捨ておむつ。
＜３＞
前記外装体は、互いに交差せずに一方向に延びるように配列した複数の弾性フィラメントが、実質的に非伸長状態で、それらの全長にわたり、伸長可能な不織布に接合されている伸縮シートを備え、
前記伸縮シートは、前記弾性フィラメントが、前記幅方向と一致するように前記外装体に備えられている、前記＜１＞に記載のパンツ型使い捨ておむつ。
＜４＞
前記接合部の前記股下部側の端部が、前記長手方向において、前記ウエスト開口部の周縁端と前記吸収体の端部との間に位置している、前記＜１＞〜＜３＞のいずれか１に記載のパンツ型使い捨ておむつ。
＜５＞
前記長手方向における前記ウエスト開口部の周縁端と前記吸収体の端部との間の長さをＬ３とし、前記ウエスト開口部の周縁端と前記接合部の下方端部との間の長さをＬ５としたとき、
前記Ｌ３に対する前記Ｌ５の比率Ｌ５／Ｌ３が０．０１以上０．８５以下、好ましくは０．０３以上０．７５以下である、前記＜４＞に記載のパンツ型使い捨ておむつ。
＜６＞
前記非接合部の前記股下部側の端部が、前記長手方向において、前記ウエスト開口部の周縁端と前記吸収体の端部との間に位置している、前記＜１＞〜＜５＞のいずれか１に記載のパンツ型使い捨ておむつ。
＜７＞
前記長手方向における前記ウエスト開口部の周縁端と前記吸収体の端部との間の長さをＬ３とし、前記ウエスト開口部の周縁端と前記非接合部の前記股下部側の端部との間の長さをＬ７としたとき、
前記Ｌ３に対する前記Ｌ７の比率Ｌ７／Ｌ３が０．０２以上１以下、好ましくは０．０６以上０．９８以下である、前記＜６＞に記載のパンツ型使い捨ておむつ。
＜８＞
前記接合部が、溶着によって形成されている、前記＜１＞〜＜７＞のいずれか１に記載のパンツ型使い捨ておむつ。
＜９＞
前記外層シートにおける、前記吸収性本体の非肌対向面側に位置する非折り返し部及び前記外層折り返し部が、前記弾性部材の収縮により、前記長手方向に沿う襞を複数形成するようになされており、
前記非接合部の前記長手方向の長さが、前記外層折り返し部の襞の頂点と、前記非折り返し部の襞の頂点との間の前記外装体の厚み方向に沿う長さよりも長い、前記＜１＞〜＜８＞のいずれか１に記載のパンツ型使い捨ておむつ。
＜１０＞
前記非接合部の前記長手方向の長さをＬ９とし、前記外装体の厚み方向における、前記外層折り返し部の襞の頂点と前記外層非折り返し部の襞の頂点との間の長さをＬ１０としたとき、
前記Ｌ１０に対する前記Ｌ９の比率Ｌ９／Ｌ１０が１以上６４以下、好ましくは１．０５以上３８以下である、前記＜９＞に記載のパンツ型使い捨ておむつ。
＜１１＞
前記第１伸縮領域における前記弾性部材の太さが、前記第２伸縮領域における前記弾性部材の太さよりも細い、前記＜１＞〜＜１０＞のいずれか１に記載のパンツ型使い捨ておむつ。
＜１２＞
前記第１伸縮領域における前記弾性部材の伸長倍率が、前記第２伸縮領域における前記弾性部材の伸長倍率よりも低い、前記＜１＞〜＜１１＞のいずれか１に記載のパンツ型使い捨ておむつ。
＜１３＞
前記内層シートは、前記腹側部に、前記吸収性本体の前記長手方向の端部より外方において肌対向面側に折り返された、内層折り返し部を有しており、
前記内層折り返し部は、少なくとも前記股下部側の端部が、該内層折り返し部と相対向する部材と接合されている、前記＜１＞〜＜１２＞のいずれか１に記載のパンツ型使い捨ておむつ。
＜１４＞
前記外層シートの坪量が、３０ｇ／ｍ２以下であり、好ましくは１１ｇ／ｍ２以上３０ｇ／ｍ２以下、より好ましくは１５ｇ／ｍ２以上２０ｇ／ｍ２以下である、前記＜１＞〜＜１３＞のいずれか１に記載のパンツ型使い捨ておむつ。
＜１５＞
前記内層シートは、前記腹側部に、前記吸収性本体の前記長手方向の端部より外方において肌対向面側に折り返された、内層折り返し部を有しており、
少なくとも前記腹側部において、前記外層折り返し部と前記内層折り返し部との色が互いに異なっている、前記＜１＞〜＜１４＞のいずれか１に記載のパンツ型使い捨ておむつ。
【符号の説明】
【００５９】
１  使い捨ておむつ
２  吸収性本体
２３  吸収体
３  外装体
３１  外層シート
３２  外層折り返し部
３３  外層非折り返し部
３６  内層シート
３７  内層折り返し部
３８  内層非折り返し部
４０  第１伸縮領域
４１  第１弾性部材
４５  第２伸縮領域
４６  第２弾性部材
５０  接合部（腹側接合部）
５０ａ  下方端部
５３  非接合部
５５  背側接合部
Ａ  腹側部
Ｂ  背側部
Ｃ  股下部
ＷＥ  ウエスト開口部の周縁端
Ｘ  長手方向
Ｙ  幅方向 
【図１】
2020108736.tif 000003
【図２】
2020108736.tif 000004
【図３】
2020108736.tif 000005
【図４】
2020108736.tif 000006
【図５】
2020108736.tif 000007
【図６】
2020108736.tif 000008
【図７】
2020108736.tif 000009
【図８】
2020108736.tif 000010
【図９】
2020108736.tif 000011
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
吸収体を有する吸収性本体と、該吸収性本体の非肌対向面側に配された外装体とを備え、着用者の腹側に配される腹側部と、着用者の背側に配される背側部と、該腹側部及び該背側部の間に位置する股下部とを有し、該腹側部から該股下部を介して該背側部に延びる方向に対応する長手方向及び該長手方向と直交する幅方向を有し、ウエスト開口部及び一対のレッグ開口部が形成されているパンツ型使い捨ておむつであって、
前記外装体は、前記幅方向に沿って伸縮可能になっており、
前記外装体は、前記使い捨ておむつの外面を形成する非肌対向面側の外層シートと、該外層シートの肌対向面側に配された内層シートとを有しており、
前記外装体は、少なくとも前記腹側部に、前記ウエスト開口部寄りに形成され前記幅方向に伸縮する第１伸縮領域と、該第１伸縮領域よりも前記股下部側に位置し、前記幅方向の伸縮応力が該第１伸縮領域よりも大きい第２伸縮領域とを有しており、
前記外層シートは、前記背側部及び前記腹側部のそれぞれに、前記ウエスト開口部の周縁端に沿って肌対向面側に折り返された外層折り返し部を有しており、
前記背側部における前記外層折り返し部は、その前記股下部側の端部が、前記吸収性本体の肌対向面上に接合されており、
前記腹側部における前記外層折り返し部は、該外層折り返し部と相対向する部材に接合された接合部と、該接合部よりも股下部側に位置し、該外層折り返し部と相対向する部材に接合されていない非接合部とを有しており、
前記接合部の前記股下部側の端部が、前記第１伸縮領域に位置しており、
前記内層シートは、前記腹側部に、前記吸収性本体の前記長手方向の端部より外方において肌対向面側に折り返された、内層折り返し部を有しており、
前記内層折り返し部は、少なくとも前記股下部側の端部が、該内層折り返し部と相対向する部材と接合されている、パンツ型使い捨ておむつ。
【請求項２】
前記外装体は、前記外層シートと前記内層シートとの間に前記幅方向に沿って配された複数の弾性部材とを有している、請求項１に記載のパンツ型使い捨ておむつ。
【請求項３】
前記外層シートにおける、前記吸収性本体の非肌対向面側に位置する非折り返し部及び前記外層折り返し部が、前記弾性部材の収縮により、前記長手方向に沿う襞を複数形成するようになされており、
前記非接合部の前記長手方向の長さが、前記外層折り返し部の襞の頂点と、前記非折り返し部の襞の頂点との間の前記外装体の厚み方向に沿う長さよりも長い、請求項２に記載のパンツ型使い捨ておむつ。
【請求項４】
前記第１伸縮領域における前記弾性部材の太さが、前記第２伸縮領域における前記弾性部材の太さよりも細い、請求項２又は３に記載のパンツ型使い捨ておむつ。
【請求項５】
前記第１伸縮領域における前記弾性部材の伸長倍率が、前記第２伸縮領域における前記弾性部材の伸長倍率よりも低い、請求項２ないし４のいずれか一項に記載のパンツ型使い捨ておむつ。
【請求項６】
前記外装体は、互いに交差せずに一方向に延びるように配列した複数の弾性フィラメントが、実質的に非伸長状態で、それらの全長にわたり、伸長可能な不織布に接合されている伸縮シートを備え、
前記伸縮シートは、前記弾性フィラメントが、前記幅方向と一致するように前記外装体に備えられている、請求項１に記載のパンツ型使い捨ておむつ。
【請求項７】
前記接合部の前記股下部側の端部が、前記長手方向において、前記ウエスト開口部の周縁端と前記吸収体の端部との間に位置している、請求項１ないし６のいずれか一項に記載のパンツ型使い捨ておむつ。
【請求項８】
前記非接合部の前記股下部側の端部が、前記長手方向において、前記ウエスト開口部の周縁端と前記吸収体の端部との間に位置している、請求項１ないし７のいずれか一項に記載のパンツ型使い捨ておむつ。
【請求項９】
前記接合部が、溶着によって形成されている、請求項１ないし８のいずれか一項に記載のパンツ型使い捨ておむつ。
【請求項１０】
前記外層シートの坪量が、３０ｇ／ｍ２以下である、請求項１ないし９のいずれか一項に記載のパンツ型使い捨ておむつ。
【請求項１１】
少なくとも前記腹側部において、前記外層折り返し部と前記内層折り返し部との色が互いに異なっている、請求項１ないし１０のいずれか一項に記載のパンツ型使い捨ておむつ。